(57)【特許請求の範囲】
【請求項１】
ケーシング（１１０）と、
当該室外機（１１）内部へのアクセスを可能にする第１開口部（１１１ａ）を有するサービス面（１１１）と、
当該室外機（１１）内で少なくともその一部が前記サービス面（１１１）に対して延設される冷媒配管（２１）と、
前記第１開口部（１１１ａ）から前記サービス面（１１１）の奥行き方向に当該室外機（１１）内部へ挿入される形態を有したケーシング部（２１０）を有し、当該ケーシング部（２１０）の一側部が前記冷媒配管（２１）の前記一部に対向する側面部（２１０ｃ１）とされる電装品箱（２００）と、
前記側面部（２１０ｃ１）の内側壁面（Ｆ１１）であって、前記冷媒配管（２１）の前記一部に当該側面部（２１０ｃ１）を介して対向する位置に設けられ、パワー基板（３５）が取付けられるパワー基板取付部（２１２）と、を備え、
前記パワー基板取付部（２１２）は、前記パワー基板（３５（２５０））を奥行き方向にスライドさせて案内するガイド部材（２１２ｂ１）を前記内側壁面（Ｆ１１）に有し、
前記内側壁面（Ｆ１１）の前記サービス面（１１１）側の端部に当該サービス面（１１１）側の当該端部の縁部に沿って延びて設けられ、前記パワー基板（３５（２５０））に設けられた凹部（２５１ａ）と合致することで前記パワー基板（３５（２５０））の奥行き方向への動きを規制し、その上端部が前記ガイド部材（２１２ｂ１）をなす規制部材（２１２ｂ）が設けられている空気調和機（１０）の室外機（１１）。
【請求項２】
前記サービス面（１１１ａ）と対向する前記ケーシング部（２１０）の他の一側部に、第２開口部（２１１）を有する請求項１に記載の空気調和機（１０）の室外機（１１）。
【請求項３】
前記ケーシング部（２１０）の一部をなす背面部（２１０ｃ３および２１０ｃ４）は、一端が前記側面部（２１０ｃ１）の奥行き側で当該側面部（２１０ｃ１）と結合され、他端が前記サービス面（１１１）側に近づく方向へと延設されることにより、前記背面部（２１０ｃ３および２１０ｃ４）は、前記室外機（１１）が備えるファン（３１）の駆動によって前記室外機ケーシング（２１０）に開口された吸込口（１１３）から吹出口（１１２）へと空気が流れる通風流路（Ｌ）において前記電装品箱（２００）による通風抵抗の発生を抑制するように配置されている請求項１又は２に記載の空気調和機（１０）の室外機（１１）。
【発明の詳細な説明】
【技術分野】
【０００１】
本発明は、空気調和機の室外機に関する。
【背景技術】
【０００２】
空気調和機の室外機は、インバータモータを駆動するパワーモジュールを実装するパワー基板や当該空気調和機を制御する制御回路が形成された制御基板等の電装基板を備える。当該電装基板には、前記パワーモジュールを構成するパワー素子や前記制御回路を構成する制御用マイコン等の発熱素子が電装部品として搭載されている。空気調和機の室外機に配設される前記電装基板は、吸込口や吹出口から当該室外機の内部に侵入する雨水等から保護するために、電装品箱内に収容される。
【０００３】
従来、これらの電装部品のうち前記パワー素子等の発熱量の大きい電装部品には、当該電装部品の放熱量を確保するために大型のヒートシンクが取り付けられ、当該電装部品は、前記吸込口と前記吹出口との間に形成された通風路内かつ前記電装品箱の外部に突設させた前記ヒートシンクが空冷されることで冷却されている。大型のヒートシンクを前記電装部品の冷却に用いる場合、当該ヒートシンクを形成する金属材料の使用量が増加するので、前記空気調和機のコストアップに繋がる。
【０００４】
上記の問題点を解消するため、ヒートシンクに換えて冷媒配管を前記電装部品と熱的に接続し、当該電装部品と当該冷媒配管を流れる冷媒との間で熱交換させることで、当該電装部品を冷やす技術（冷媒冷却）も、従来から用いられている（例えば特許文献１参照）。
【先行技術文献】
【特許文献】
【０００５】
【特許文献１】特開２００８−１０１８６２号公報
【発明の概要】
【発明が解決しようとする課題】
【０００６】
前記冷媒冷却を採用する場合には、前記電装基板を冷却可能な位置に前記冷媒配管を配管し、かつ、前記電装品箱の内部において当該冷媒配管内の冷媒と熱交換可能な位置に前記電装基板を配設するという位置関係を構築することが重要である。しかし従来は、この位置関係を構築した状態で、前記室外機への着脱が容易となるように前記電装品箱を配置することが困難であった。そのため、前記室外機の組立やメンテナンス等の作業効率を損なっていた。
【０００７】
本発明は、上記の課題を解決するためになされたものであり、前記冷媒冷却を採用する場合に、前記冷媒配管の配管と前記電装品箱内部への前記電装基板の取付とにおいて上記の適切な位置関係を保つことと、前記電装品箱を前記室外機に容易に着脱することとを両立可能とし、当該室外機の組立やメンテナンス等の作業の効率化を可能とする空気調和機の室外機を提供することを目的とする。
【課題を解決するための手段】
【０００８】
本発明の請求項１に係る空気調和機の室外機は、ケーシング（１１０）と、当該室外機（１１）内部へのアクセスを可能にする第１開口部（１１１ａ）を有するサービス面（１１１）と、当該室外機（１１）内で少なくともその一部が前記サービス面（１１１）に対して延設される冷媒配管（２１）と、前記第１開口部（１１１ａ）から前記サービス面（１１１）の奥行き方向に当該室外機（１１）内部へ挿入される形態を有したケーシング部（２１０）を有し、当該ケーシング部（２１０）の一側部が前記冷媒配管（２１）の前記一部に対向する側面部（２１０ｃ１）とされる電装品箱（２００）と、前記側面部（２１０ｃ１）の内側壁面（Ｆ１１）であって、前記冷媒配管（２１）の前記一部に当該側面部（２１０ｃ１）を介して対向する位置に設けられ、パワー基板（３５）が取付けられるパワー基板取付部（２１２）と、を備える。
【０００９】
請求項１に係る発明によれば、前記冷媒冷却の採用時に、前記パワー素子を冷却するための前記冷媒配管の前記一部が、前記側面部に対向されて配管されるので、当該冷媒配管の配管と前記電装品箱内部への前記パワー基板の取付とにおいて適切な位置関係を保ちつつ、当該電装品箱の着脱時に、当該電装品箱と前記冷媒配管との干渉を防止することができる。したがって、当該電装品箱を容易に着脱することが可能となり、当該室外機の組立やメンテナンス等の作業の効率化が可能となる。
【００１０】
請求項１に係る空気調和機の室外機において、前記パワー基板取付部（２１２）は、前記パワー基板（３５（２５０））を奥行き方向にスライドさせて案内するガイド部材（２１２ｂ１）を前記内側壁面（Ｆ１１）に有する。
【００１１】
請求項１に係る空気調和機の室外機において、前記内側壁面（Ｆ１１）の前記サービス面（１１１）側の端部に当該サービス面（１１１）側の当該端部の縁部に沿って延びて設けられ、前記パワー基板（３５（２５０））に設けられた凹部（２５１ａ）と合致することで前記パワー基板（３５（２５０））の奥行き方向への動きを規制し、その上端部が前記ガイド部材（２１２ｂ１）をなす規制部材（２１２ｂ）が設けられている。
【００１２】
請求項１に係る発明によれば、前記パワー基板取付部は、前記パワー基板をスライドさせて取付可能とされているので、当該パワー基板の取付および取り外しを容易にすることができる。したがって、当該パワー基板の組み付け性およびメンテナンス性を向上させることができる。
【００１３】
本発明の請求項２に係る空気調和機の室外機は、請求項１に係る空気調和機の室外機において前記サービス面（１１１ａ）と対向する前記ケーシング部（２１０）の他の一側部に、第２開口部（２１１）を有する。
【００１４】
請求項２に係る発明によれば、前記サービス面と対向する前記ケーシング部の他の一側部に、前記第２開口部を有するので、前記室外機内の構成部材に邪魔されることなく当該第２開口部から前記電装品箱内部へとアクセスすることが可能となる。したがって、前記電装品箱内部に収容される前記パワー基板等の部材の組み付けおよび交換等の作業性を向上させることができる。
【００１５】
本発明の請求項３に係る空気調和機の室外機は、請求項１又は２に係る空気調和機の室外機において、前記ケーシング部（２１０）の一部をなす背面部（２１０ｃ３および２１０ｃ４）は、一端が前記側面部（２１０ｃ１）の奥行き側で当該側面部（２１０ｃ１）と結合され、他端が前記サービス面（１１１）側に近づく方向へと延設されることにより、前記背面部（２１０ｃ３および２１０ｃ４）は、前記室外機（１１）が備えるファン（３１）の駆動によって前記室外機ケーシング（２１０）に開口された吸込口（１１３）から吹出口（１１２）へと空気が流れる通風流路（Ｌ）において前記電装品箱（２００）による通風抵抗の発生を抑制するように配置されている。
【００１６】
請求項３に係る発明によれば、前記電装品箱による通風抵抗の発生を抑制することが可能となる。
【発明の効果】
【００１７】
本発明によれば、前記冷媒配管の配管と前記電装品箱内部への前記電装基板の取付とにおいて適切な位置関係を保ちつつ、前記電装品箱の着脱時に当該電装品箱と前記冷媒配管との干渉を防止することができる。したがって、当該電装品箱を容易に着脱することが可能となり、当該室外機の組立やメンテナンス等の作業の効率化が可能となる。
【図面の簡単な説明】
【００１８】
【図１】本発明の一実施形態に係る室外機を備える空気調和機の配管系統を示す概略図である。
【図２】本発明の一実施形態に係る空気調和機の室外機の外観を示す斜視図である。
【図３】図２に示す室外機から電装品箱を取り外した状態を示す斜視図である。
【図４】図２に示す室外機のＩＶ−ＩＶ断面図であり、当該室外機の平面断面図となる図である。
【図５】図２に示す室外機が備える電装品箱の外観を示す斜視図である。
【図６】図５に示す電装品箱をＶＩ方向から見た左側面図である。
【図７】図５に示す電装品箱における電装基板の配設状態を示す斜視図である。
【図８】図５に示す電装品箱におけるパワー基板の配設状態を示す斜視図である。
【発明を実施するための形態】
【００１９】
＜空気調和機の全体構造＞
以下、本発明の一実施形態に係る空気調和機の室外機１１について、図１〜図８に基づき詳細に説明する。なお、以下の説明において、図２〜図８におけるＸ−Ｘ方向を左右方向、Ｙ−Ｙ方向を前後方向と称し、特に−Ｘ方向を左方、＋Ｘ方向を右方、−Ｙ方向を前方、＋Ｙ方向を後方と称する。さらに、＋Ｙ方向へ視線を向ける場合を正面視、−Ｙ方向へ視線を向ける場合を背面視、＋Ｘ方向へ視線を向ける場合を左側面視、−Ｘ方向へ視線を向ける場合を右側面視と称し、それぞれに対応する室外機１１の垂直面を、正面、背面、左側面、右側面、と称する。
【００２０】
図１は、室外機１１を備える空気調和機１０の配管系統を示す図である。空気調和機１０は、冷房運転と暖房運転とが可能なヒートポンプ式の空気調和機である。空気調和機１０は、室外に設置される室外機１１と、室内に設置される室内機１２とを備えている。
【００２１】
室外機１１と室内機１２とは、第１接続配管１３および第２接続配管１４を介して接続されている。空気調和機１０には、これら接続配管１３、１４を含む配管が閉回路状に接続された冷媒回路１８が設けられている。冷媒回路１８には、主として、室内熱交換器２０、圧縮機２３、油分離器２４、室外熱交換器２５、膨張機構である膨張弁２６、アキュムレータ２７、四方切換弁２８が設けられている。冷媒回路１８では、冷媒が循環することにより、蒸気圧縮式の冷凍サイクルが行われる。
【００２２】
室内熱交換器２０は、冷媒を室内空気と熱交換させるための熱交換器であり、室内機１２に設けられている。室内熱交換器２０として、例えばクロスフィン型のフィン・アンド・チューブ熱交換器等を採用することできる。室内熱交換器２０の近傍には、室内空気を室内熱交換器２０へ送風するための室内ファン（図示省略）が設けられている。
【００２３】
圧縮機２３、油分離器２４、室外熱交換器２５、膨張弁２６、アキュムレータ２７、四方切換弁２８は、室外機１１に設けられている。これらは、何れもケーシング１１０（図２〜図４参照）内に収容されている。
【００２４】
圧縮機２３は、吸入ポート、圧縮機構および吐出ポートを有し、吸入ポートから吸入した冷媒を圧縮機構で圧縮して、吐出ポートから吐出する。圧縮機２３としては、例えば、スクロール圧縮機等の種々の圧縮機を採用することができる。
【００２５】
油分離器２４は、圧縮機２３から吐出された潤滑油と冷媒とからなる混合流体中から潤滑油を分離するためのものである。分離された冷媒は四方切換弁２８へ送られ、潤滑油は圧縮機２３に戻される。
【００２６】
室外熱交換器２５は、冷媒を室外空気と熱交換させるためのものであり、例えばクロスフィン型のフィン・アンド・チューブ熱交換器等を採用できる。室外熱交換器２５の近傍には、室外空気を室外熱交換器２５へ送風するための例えばプロペラファンである室外ファン３１が設けられている。
【００２７】
膨張弁２６は、冷媒回路１８において室外熱交換器２５と室内熱交換器２０との間に配設され、流入した冷媒を膨張させて、所定の圧力に減圧させる。膨張弁２６として、例えば開度可変の電子膨張弁を採用することができる。
【００２８】
アキュムレータ２７は、流入した冷媒を気液分離するものであり、冷媒回路１８において圧縮機２３の吸入ポートと四方切換弁２８との間に配設されている。アキュムレータ２７で分離されたガス冷媒は、圧縮機２３に吸入される。
【００２９】
四方切換弁２８には、第１〜第４の４つのポートが設けられている。四方切換弁２８は、第１ポートと第３ポートとを連通すると同時に第２ポートと第４ポートとを連通する第１状態（図１において実線で示す状態）と、第１ポートと第４ポートとを連通すると同時に第２ポートと第３ポートとを連通する第２状態（図１において破線で示す状態）とに切換可能となっている。第１ポートは、油分離器２４を介して圧縮機２３の吐出ポートに接続され、また第２ポートは、アキュムレータ２７を介して圧縮機２３の吸入ポートに接続され、また第３ポートは、室外熱交換器２５に接続され、また第４ポートは、第１接続配管１３を介して室内熱交換器２０に接続されている。空気調和機１０が冷房運転を行うときには、四方切換弁２８は第１状態に切り換えられ、暖房運転を行うときには、四方切換弁２８は第２状態に切り換えられる。
【００３０】
室外機１１内の液側配管２１には凝縮後の液冷媒が流れる。すなわち、液側配管２１には、冷房運転時には、室外熱交換器２５で凝縮した冷媒が流れ、暖房運転時には、室内熱交換器２０で凝縮し、膨張弁２６で減圧された冷媒が流れる。液側配管２１には、パワー基板３５上に実装されたパワーモジュールを構成する各パワー素子を冷却するための冷媒ジャケット３７が接合され、冷媒ジャケット３７には、伝熱板３５１（図６参照）を介してパワー基板３５が接合されている（図２参照）。図例では、冷媒ジャケット３７が接合される液側配管は、冷媒回路１８における室外熱交換器２５と膨張弁２６との間の液側配管２１となっているが、冷媒ジャケット３７が接合される冷媒配管は、これに限られない。ただし、冷却能力を考慮すれば、冷媒ジャケット３７は、液側配管２１に接合されるのが好ましい。
【００３１】
＜室外機＞
図２〜図４に基づいて、室外機１１の機械的構成および形状的特徴を説明する。図２は、室外機１１の外観を示す斜視図である。図３は、図２に示す室外機１１から電装品箱２００を取り外した状態を示す斜視図である。図４は、図２のＩＶ―ＩＶ断面図であり、室外機１１の平面断面図である。
【００３２】
室外機１１の室外機１１は、全体として略直方体形状の外観を呈するケーシング１１０内に、前述の圧縮機２３、油分離器２４、室外熱交換器２５、およびアキュムレータ２７等を備えるとともに、パワー基板３５（図８参照）を内部に収容する電装品箱２００が配設されている。
【００３３】
ケーシング１１０は、底板１１０ａと、この底板１１０ａの周縁部に立設され、略直方体を呈するケーシング１１０の３つの垂直面をなす側板１１０ｂと、略直方体を呈するケーシング１１０の残りの１つの垂直面をなすサービス面１１１と、側板１１０ｂの上端部間に架設される天板１１０ｃと、を有する。
【００３４】
サービス面１１１は、室外機１１のケーシング１１０正面側の４つ縁部で構成される面である。室外機１１のメンテナンス等の作業時に作業者は、サービス面１１１側から室外機１１内部へアクセスする。サービス面１１１には、その上部略５分の１を残して開口された第１開口部１１１ａが設けられている。第１開口部１１１ａには、第１開口部１１１ａを覆う図略のパネルが着脱自在に取付けられる。当該パネルを取り外すことで、第１開口部１１１ａから室外機１１内部へのアクセスが可能となる。
【００３５】
底板１１０ａは、圧縮機２３や室外熱交換器２５等の重量物が設置される基台として機能する。３枚の側板１１０ｂの各々には、室外ファン３１の駆動により室外空気が吸い込まれる吸込口１１３が、ほぼ全面に開口されている。室外熱交換器２５は、吸込口１１３から吸込まれた室外空気（吸込空気）と室外熱交換器２５の内部を流れる冷媒との間で熱交換を効率よく行わせるために、３枚の側板１１０ｂに対向して配設されている。天板１１０ｃには、室外熱交換器２５で熱交換後の前記吸込空気である調和空気が室外ファン３１の駆動により吹き出される吹出口１１２が開口されている。
【００３６】
吸込口１１３から吹出口１１２へと至る空間は通風流路Ｌとして機能する。図４に矢印で示すように、通風流路Ｌにおいて、吸込口１１３から吸込まれた吸込空気が室外熱交換器２５の内部を流れる冷媒との間で熱交換後に調和空気として吹出口１１２から吹き出される空気流れが室外ファン３１の駆動によって作り出される。
【００３７】
第１開口部１１１ａの上下方向略中央には、左右方向に延びる板金部材であって、第１開口部１１１ａの左右に位置する側板１１０ｂの前方に結合される支持フレーム１１４が設けられている。支持フレーム１１４は、その右方部分が後方に曲げ加工された屈曲部とされている。さらに第１開口部１１１ａの上端には、左右方向に直線状に延びる板金部材であって、第１開口部１１１ａの左右に位置する側板１１０ｂの前方に結合される支持フレーム１１５が設けられている。
【００３８】
液側配管２１は、ケーシング１１０内で少なくともその一部がサービス面１１１に対して延設されて配管される。すなわち液側配管２１の前記一部は、サービス面１１１に対して直交する方向（サービス面１１１に対する奥行き方向）に延びて配管される。液側配管２１の奥行き方向に延びる当該一部は、ケーシング１１０内に収納された電装品箱２００の側板２１０ｃ１（図５および図６参照）と対向する位置に配管される。
【００３９】
電装品箱２００は、インバータモータを駆動する複数のパワー素子がモジュール化されたパワーモジュールが実装されたパワー基板３５、室外ファン３１を回転させるファンモータを駆動するパワー素子が実装されたファンモータ用パワー基板３１０、および、その他電装品を実装するプリント基板３２０、３３０等の電装基板を、ケーシング部２１０内に収容し（図７および図８参照）、吸込口１１３や吹出口１１２から室外機１１の内部に侵入する雨水等から当該電装品を保護する。
【００４０】
電装品箱２００は、その左側面を構成する側板２１０ｃ１（図５参照）が奥行き方向に延びる液側配管２１の前記の一部と対向する位置で、その底面を形成する底板２１０ａ（図５参照）が支持フレーム１１４の前記屈曲部に載置されて配設される。そのため、電装品箱２００は、底板２１０ａを、支持フレーム１１４によって支持しつつ、前後方向（第１開口部１１１ａと直交する方向）にスライドさせることで、液側配管２１と干渉することなく第１開口部１１１ａから挿脱可能とされている。
【００４１】
＜電装品箱＞
図５〜図８に基づいて、電装品箱２００の構造と、パワー基板３５やファンモータ用パワー基板３１０、３２０、３３０等の電装基板の電装品箱２００内における配設状態とを説明する。図５は、電装品箱２００の外観を示す斜視図である。図６は、図５のＶＩ方向から見た電装品箱２００の左側面図である。図７は、電装品箱２００における前記各電装基板の配設状態を示す斜視図である。図８は、電装品箱２００におけるパワー基板３５の配設状態を示す斜視図である。
【００４２】
図５に示すように電装品箱２００の外形を規定するケーシング部２１０は、底板２１０ａと、正面側を除いた底板２１０ａの周縁部に上方に向けて垂設される側板２１０ｃ１〜２１０ｃ４と、これら側板の上端部間に架設される天板２１０ｂと、その周縁がケーシング部２１０正面側の４つ縁部（底板２１０ａ、天板２１０ｂ、側板２１０ｃ１および側板２１０ｃ２の各前縁部）で構成され、サービス面１１１と対向する第２開口部２１１と、を有する。
【００４３】
底板２１０ａは、平面視で左右方向に長い長方形の右方かつ後方に位置する一角が切り欠かれてなる略五角形を呈する。天板２１０ｂは、底板２１０ａと略合同の平面形状を有し、平面視において底板２１０ａと重なる位置に位置する。
【００４４】
側板２１０ｃ１は、底板２１０ａの左方に位置する辺部から上方に向けて垂設される。側板２１０ｃ１は、パワー基板３５を取付けるパワー基板取付部２１２（パワー基板取付部）を、その内側壁面Ｆ１１に有する（図８）。
【００４５】
側板２１０ｃ２は、底板２１０ａの右方に位置する辺部から上方に向けて垂設される。底板２１０ａが上記の形状を呈するので、側板２１０ｃ２の前後方向への長さは、側板２１０ｃ１の前後方向への長さよりも短い。
【００４６】
側板２１０ｃ３と側板２１０ｃ４とは、ケーシング部２１０の背面を形成する。側板２１０ｃ４は、底板２１０ａの後方に位置する辺部から上方に向けて垂設される。すなわち側板２１０ｃ４は、その一端が側板２１０ｃ１の背面側の辺部と結合され、その他端が側板２１０ｃ３の背面側の辺部と結合される。側板２１０ｃ３は、前記の切りかかれた部分に相当する底板２１０ａの辺部から上方に向けて垂設される。すなわち側板２１０ｃ３は、その一端が側板２１０ｃ４の右端と結合され、その他端が正面側に近づく方向へと延設されて側板２１０ｃ２の背面側の辺部と結合される。
【００４７】
第２開口部２１１は、電装品箱２００内部に収容された後述のパワー基板３５の交換等のメンテナンス作業時に、作業者が電装品箱２００内部へアクセスするための開口部である。本実施形態では、第２開口部２１１にパネル２０３（図２参照）が着脱可能に装着される。パネル２０３を取り外すことで、第２開口部２１１から電装品箱２００内部へのアクセスが可能となる。なお室外機１１は、第１開口部１１１ａを覆う図略のパネルを備えるので、パネル２０３を設けない構成とすることも可能である。
【００４８】
電装品箱２００は、サービス面１１１と対向するケーシング部２１０の正面部に第２開口部２１１を有するので、室外機１１内に配管された冷媒配管等の構成部材に邪魔されることなく、第２開口部２１１から電装品箱２００内部へとアクセスすることができる。したがって、電装品箱２００内部に収容されるパワー基板３５等の部材の組み付けおよび交換等の作業性を向上させることができる。
【００４９】
さらに、電装品箱２００のケーシング部２１０を上記形状に形成することで、通風流路Ｌを避けた位置にケーシング部２１０の背面部となる側板２１０ｃ３と側板２１０ｃ４とが配置されるので、電装品箱２００による通風抵抗の発生を抑制することが可能となる。（図４参照）。
【００５０】
ケーシング部２１０には、それぞれＬ字状に曲げ加工された板金部材である、上部係合部材２０１と側部係合部材２０２とが結合されている。上部係合部材２０１は、その左右方向の長さが天板２１０ｂの前方の辺部の長さと略同一なるように形成され、上記Ｌ字の外側となる一方の面が天板２１０ｂの前方に結合されている。電装品箱２００の配設時に、上記Ｌ字の外側となる他方の面が支持フレーム１１５と結合されることで、上部係合部材２０１は、電装品箱２００と支持フレーム１１５とを係合する。
【００５１】
側部係合部材２０２は、その上下方向の長さが側板２１０ｃ３の前方の辺部の長さと略４分の１となるように形成され、上記Ｌ字の外側となる一方の面が、側板２１０ｃ３の前方における中央やや下方よりに結合されている。電装品箱２００の配設時に、上記Ｌ字の外側となる他方の面が室外機１１の左側面に位置する側板１１０ｂと結合されることで、側部係合部材２０２は、電装品箱２００と側板１１０ｂとを係合する。
【００５２】
後方にスライドさせて電装品箱２００を室外機１１内に配設する場合に、電装品箱２００の後方への移動は、上部係合部材２０１と側部係合部材２０２とによって規制されるので、電装品箱２００は、パネル２０３を備えるその正面が第１開口部１１１ａと略面一に配設されることになる。
【００５３】
図７に示すように、電装品箱２００は、パワー基板取付部２１２に取付けられるパワー基板３５を除く電装基板であるファンモータ用パワー基板３１０およびプリント基板３２０、３３０を、前後方向に積層して収容する。すなわち、ファンモータ用パワー基板３１０は、側板２１０ｃ４の内壁面側に配設され、プリント基板３２０は、側板２１０ｃ４の前方に底板２１０ａから垂設される第１支持部材２２０の正面側に配設され、プリント基板３３０は、第１支持部材２２０の前方に底板２１０ａから垂設される第２支持部材２３０の正面側に配設される。
【００５４】
ファンモータ用パワー基板３１０に実装されたパワー素子は、前記パワーモジュールよりは発熱量が少ないものの発熱素子であるので、小型のヒートシンク３１１を取り付けてファンモータ用パワー基板３１０の背面に実装されている。ヒートシンク３１１は、側板２１０ｃ４の一部を開口して電装品箱２００外に突設され、吹出口１１２へと向かう調和空気によってヒートシンク３１１が空冷されることで、ファンモータ用パワー基板３１０に実装された前記パワー素子が冷却される。
【００５５】
第１支持部材２２０は、左右方向の幅が側板２１０ｃ４の略半分とされ、上下方向の高さが側板２１０ｃ４とほぼ等しくされた板金部材であり、その正面側の下端が、底板２１０ａの略中央に突設された固定金具２１３と結合される。第２支持部材２２０は、電装品箱２００の正面面積の略３分の２を占める板金部材であり、その正面側の下端が、底板２１０ａの前方やや左方に突設された固定金具２１４と結合され、その背面側の略中央部が、第１支持部材２２０正面側略中央から前方に突設された固定金具２２１と結合される。
【００５６】
上記のように、ファンモータ用パワー基板３１０およびプリント基板３２０、３３０を配設することで、ファンモータ用パワー基板３１０およびプリント基板３２０、３３０は、所定の間隔で離隔される。したがって、これら基板間の絶縁距離を確保することができる。
【００５７】
図８に示すように、パワー基板３５は、板状を呈するパワー基板支持部材２５０上に配設される。パワー基板支持部材２５０を、側板２１０ｃ１の内側壁面Ｆ１１に設けられたパワー基板取付部２１２に取付けることで、パワー基板３５は、側板２１０ｃ１の内側壁面Ｆ１１側に、側板２１０ｃ１を介して液側配管２１に対向する位置に設けられることになる。なお、前記パワーモジュールは、パワー基板３５の裏面（図８において見えている面の裏側となる面）に実装される。そしてパワー基板３５の裏面側で、伝熱板３５１が前記パワーモジュールと面接合される（図６参照）。伝熱板３５１には、冷媒ジャケット３７を介して液側配管２１が接合されているので、前記パワーモジュールと液側配管２１を流れる冷媒との間で熱交換がされ、発熱量の大きい電装部品である当該パワーモジュールが冷却される（図２参照）。
【００５８】
パワー基板取付部２１２は、開口部２１２ａと、固定金具２１２ｂ（規制部材）と、を有して構成される。開口部２１２ａは、伝熱板３５１を電装品箱２００外に露出させるために、側板２１０ｃ１の略中央に上下方向に長い長方形に開口される。固定金具２１２ｂは、側板２１０ｃ１の内壁面前方から突設され、側板２１０ｃ１と略同一の高さを有して上下方向に延び、パワー基板支持部材２５０の係合部２５１が有する凹部２５１ａと合致する。
【００５９】
固定金具２１２ｂの上端部２１２ｂ１は、パワー基板３５が取付けられたパワー基板支持部材２５０の上端を上端部２１２ｂ１に沿わせることで、パワー基板支持部材２５０を、奥行き方向にスライドさせて案内するガイド部材として機能する。
【００６０】
パワー基板支持部材２５０は、電装品箱２００への配設状態において、開口部２１２ａと対向する位置が図略の開口部とされている。当該開口部をパワー基板支持部材２５０に設け、開口部２１２ａを側板２１０ｃ１に設けることによって、伝熱板３５１を冷媒ジャケット３７に面接合することが可能となる。
【００６１】
パワー基板支持部材２５０の前方側縁部は、曲げ加工により、側板２１０ｃ１の内側壁面Ｆ１１と対向する側が開口する凹部２５１ａを有する係合部２５１とされている。係合部２５１は、パワー基板支持部材２５０のパワー基板３５取付面となる側（凹部２５１ａが開口する側とは反対側）に突出する。
【００６２】
パワー基板３５が取付けられたパワー基板支持部材２５０の上端を固定金具２１２ｂの上端部２１２ｂ１に沿わせることで、パワー基板支持部材２５０を奥行き方向にスライドさせて電装品箱２００（内側壁面Ｆ１１）に配設するに際に、凹部２５１ａは固定金具２１２ｂと合致する。すなわち固定金具２１２ｂは、パワー基板支持部材２５０の奥行き方向への動きを規制する規制部材として機能する。
【００６３】
上記実施形態によれば、冷媒冷却の採用時に、前記パワーモジュールを冷却するための液側配管２１の前記一部が、側板２１０ｃ１に対向されて配管されるので、液側配管２１の配管と電装品箱２００内部へのパワー基板３５の取付とにおいて適切な位置関係を保ちつつ、電装品箱２００の着脱時に、電装品箱２００と液側配管２１との干渉を防止することができる。したがって、電装品箱２００を容易に着脱することが可能となり、室外機１１の組立やメンテナンス等の作業の効率化が可能となる。
【００６４】
また、上記実施形態によればパワー基板取付部２１２は、パワー基板３５が取付けられたパワー基板支持部材２５０をスライドさせて取付可能とされているので、パワー基板３５の取付および取り外しを容易にすることができる。したがって、パワー基板３５の組み付け性およびメンテナンス性を向上させることができる。
【００６５】
以上、本発明の一実施形態に係る電装品箱２００および室外機１１について説明したが、これらはあくまでも例示であり、本発明は上記実施形態に限定されるものではなく、その趣旨を逸脱しない範囲で種々変更、改良等が可能である。
【００６６】
例えば、上記実施形態では、略直方体を呈する室外機１１のケーシング１１０の垂直面のうち１つの垂直面をサービス面１１１とし、残りの３つの垂直面を側板１１０ｂで構成し、当該側板１１０ｂに対向させてケーシング１１０のほぼ全高に相当する高さを有する室外熱交換器２５を設けている。この構造に換えて、略直方体を呈するケーシングの垂直面のうち１つの垂直面をサービス面とすることは同じであるものの、ケーシングの内部空間を上下に仕切る仕切板を設け、当該仕切板によって仕切られた下部空間を圧縮機や電装品箱等を収容する機械室とし、上部空間を室外熱交換器および室外ファンを収容する熱交換室とする構造を有する室外機においても、本発明を適用することができる。
【００６７】
この場合、前記電装品箱は、前記熱交換室ではなく前記機械室に位置するので、当該電装品箱の背面側を切り欠かれた形状とする必要はない。なぜならば、前記電装品箱は、前記熱交換室ではなく前記機械室に位置するので、当該電装品箱が通風流路に位置することはなく、当該電装品箱による通風抵抗は生じないからである。
【符号の説明】
【００６８】
１１  室外機
２１  液側配管（冷媒配管）
３１  室外ファン
１１０  ケーシング
１１１  サービス面
１１１ａ  第１開口部
１１２  吹出口
１１３  吸込口
Ｌ  通風流路
２００  電装品箱
２１０  ケーシング部
２１０ｃ１  側板（側面部）
２１０ｃ３  側板（背面部）
２１０ｃ４  側板（背面部）
Ｆ１１  内側壁面
２１１  第２開口部
２１２  パワー基板取付部
２１２ｂ  固定金具（規制部材）
２１２ｂ１  上端部（ガイド部材）
３５  パワー基板
２５０  パワー基板支持部材
２５１ａ  凹部
【図１】
0005423322.tif 000002
【図２】
0005423322.tif 000003
【図３】
0005423322.tif 000004
【図４】
0005423322.tif 000005
【図５】
0005423322.tif 000006
【図６】
0005423322.tif 000007
【図７】
0005423322.tif 000008
【図８】
0005423322.tif 000009